(57)【要約】【課題】四角形状の商品をフック部分のみしか見えないように多数陳列できる商品陳列用ハンガーで提供する。【解決手段】本発明の商品陳列用ハンガーは、フック部と、フック部下端に連続して設けられたハンガー部とよりなり、ハンガー部は、フック部を通る鉛直線に対し４５度の角度で下方に延びる第一の傾斜辺部材と、該第一の傾斜辺部材に対し商品挿入のための間隔を持って平行して設けた第二の傾斜辺部材と、第二の傾斜辺部材に続く第三の傾斜辺部材と、第三の傾斜辺部材に続く底辺部材とを有し、前記第二、第三の傾斜辺部材は頂角を９０度に屈曲して連続し、第一の傾斜辺部材と第二の傾斜辺部材とはそれぞれの下端部において底辺部材に一体に結合し前記第二第三の傾斜辺部材は、底辺部材と共に商品支持部材を構成してなる。【選択図】図１
2009022395.tif 000002
【特許請求の範囲】
【請求項１】
フック部と、フック部下端に連続して設けられたハンガー部とよりなり、ハンガー部はフック部を通る鉛直線に対し４５度の角度で下方に延びる第一の傾斜辺部材と、該第一の傾斜辺部材に対し商品挿入のための間隔を持って平行して設けた第二の傾斜辺部材と、第二の傾斜辺部材に続く第三の傾斜辺部材と、第三の傾斜辺部材に続く底辺部材とを有し、前記第二、第三の傾斜辺部材は頂角を９０度に屈曲して連続し、第一の傾斜辺部材と第二の傾斜辺部材とはそれぞれの下端部において底辺部材に一体に結合し前記第二第三の傾斜辺部材は、底辺部材と共に商品支持部材を構成してなる商品陳列用ハンガー。
【請求項２】
商品支持部材が、第二の傾斜辺部材と、第二の傾斜辺部材と共に頂角を形成している第三の傾斜辺部材と、第三の傾斜辺部材に続く底辺部材とを有し、第三の傾斜部材の底辺部材に近い部位を底辺部材に向けて屈折させ屈折辺部材とし、該屈折辺部材を含む第三の傾斜部材と底辺部材とによって構成される部分のフック部を通る鉛直線からの最大離反距離が、第一の傾斜辺と該鉛直線との最大離反距離より小さく構成したことを特徴とする請求項１に記載の商品陳列用ハンガー。
【請求項３】
フック部を固定具に係止した際に、垂下された状態の商品陳列用ハンガーのフック部を通る鉛直線上において、線状体を屈折してなる商品支持部材底辺部材が下方に向って突出した状態の商品支持部材屈折部を有する請求項１又は請求項２に記載の商品陳列用ハンガー。
【請求項４】
フック部を固定具に係止した際に、垂下された状態の商品陳列用ハンガーのフック部を通る鉛直線上において、線状体を屈曲してなる商品支持部材底辺部材が下方に向って突出する商品支持部材底辺屈曲部を有する請求項１又は請求項２に記載の商品陳列用ハンガー。
【請求項５】
商品支持部材底辺部材の下方に向って突出して曲げられた屈折部・屈曲部に、他のハンガーのフック部が係止可能な連結部品を装着した請求項３又は請求項４に記載の商品陳列用ハンガー。
【請求項６】
フック部を固定具に係止した際に、商品陳列用ハンガーのフック部を通る鉛直線上において、商品支持部材底辺部材に他のハンガーのフック部が係止可能なフック係止孔を設けた請求項１又は請求項２に記載の商品陳列用ハンガー。
【請求項７】
フック部と、ハンガー部とが回転可能に結合されている請求項１乃至６のいずれかに記載の商品陳列用ハンガー。
【請求項８】
フック部と、フック部に結合されたハンガー部とが、表面が樹脂加工された金属棒で形成されている請求項１乃至７のいずれかに記載の商品陳列用ハンガー。
【請求項９】
フック部と、フック部に結合されたハンガー部とが、合成樹脂で形成されている請求項１乃至７のいずれかに記載の商品陳列用ハンガー。
【請求項１０】
フック部と、フック部に結合されたハンガー部とが、リボン状の平面素材で形成されている請求項１乃至７のいずれかに記載の商品陳列用ハンガー。
【請求項１１】
商品支持部材が、平板状部材よりなる請求項１記載の商品陳列用ハンガー。
【請求項１２】
商品支持部材が平板状部材で形成され、商品支持部材底辺近傍に他のハンガーのフックを係止するための、フック係止孔を有する請求項１に記載の商品陳列用ハンガー。 
【発明の詳細な説明】
【技術分野】
【０００１】
本発明は、四角形状の商品、例えばハンカチ等の多数の商品を多様な方法で陳列、展示するための商品陳列用ハンガーに関する。
【背景技術】
【０００２】
ハンカチまたはタオルハンカチ、スカーフ等の平面的商品の陳列には工夫が必要とされる。広げないとデザインの要である柄が見えない。柄を見せるために商品を広げることは限られたスペースに多数の商品を展示することが出来ないため、４つ折りした商品を数枚重ねて陳列していることが多い。展示手段としては、大まかに４つの方法があり、商品を陳列棚の平面状に畳んで並べる、商品を三角形に折って立体的に並べる、専用ボックス内に仕切り枠を設けてその枠内に商品を平面または立てて並べるボックス類の使用、そして、商品をかけて吊るして並べるフック型ハンガーの使用である。フック型ハンガーを使用すれば棚が不要で比較的奥行きをとらず、縦に陳列することにより、多くの柄を見せることが出来る。
【０００３】
ハンガーによる陳列は、展示方法が簡単であり、購買者が商品を選択するために商品が良く見えるように展示すると共に、展示面積を出来るだけ少なくし、多数の商品を陳列することができるが、購買者が商品に手を触れることにより、展示物が乱れたり、汚れたりすることを防止することも必要である。
【０００４】
上記陳列方法のうち、フック型ハンガーとしては、タオルハンガー（特許文献１）が知られているが、このハンガーはフックの下に設けられた棒状三角形の底辺にタオルを掛け吊るすのみで、タオルを落下しないようにすることはできない。また、衣類用ハンガーとしては、上衣とスラックスとを同時に陳列、収納できるようにしたハンガー（特許文献２）が知られているが、このハンガーは衣料用であって、商品を美的に陳列することは考慮されていない。更に、極めて簡単な構造を有するハンガーの意匠も知られているが（特許文献３）このハンガーは、どのように物品を掛けて使用するのか不明であり、四角形状の布製品を掛けた場合も、折り畳んだ形状を保って物品を掛けることは出来ない。
【特許文献１】意匠登録第５６７２４５号公報
【特許文献２】実開昭５２−８８９９４号公報
【特許文献３】意匠登録第１２７９１７４号公報
【発明の開示】
【発明が解決しようとする課題】
【０００５】
本発明は、購買者が商品を選択するために商品が良く見えるように展示し、四角形状の商品を３６０度どこから見てもフック部分のみしか見えず、展示面積を出来るだけ少なくして多数の商品を陳列できる商品陳列用ハンガーであって、しかも商品のハンガーへの掛け方が簡単であるにもかかわらず、商品のずり落ちが無く、壁、棒等に自在に掛けて多様な陳列方法が可能な商品陳列用ハンガーを提供することを目的とする。
【課題を解決するための手段】
【０００６】
本発明の商品陳列用ハンガーは、四角形状の商品を展示するのに適したハンガーであって、フック部と、フック部下端に連続して設けられたハンガー部とよりなり、ハンガー部は、フック部を通る鉛直線に対し４５度の角度で下方に延びる第一の傾斜辺部材と、該第一の傾斜辺部材に対し商品挿入のための間隔を持って平行して設けた第二の傾斜辺部材と、第二の傾斜辺部材に続く第三の傾斜辺部材と、第三の傾斜辺部材に続く底辺部材とを有し、前記第二、第三の傾斜辺部材は頂角を９０度に屈曲して連続し、第一の傾斜辺部材と第二の傾斜辺部材とはそれぞれの下端部において底辺部材に一体に結合し前記第二第三の傾斜編部材は、底辺部材と共に商品支持部材を構成してなる。
また、商品支持部材が、第二の傾斜辺部材と、第二の傾斜辺部材と共に頂角を形成している第三の傾斜辺部材と、第三の傾斜辺部材に続く底辺部材とを有し、第二の傾斜辺部材の下端が底辺部材に結合されており、第三の傾斜部材の底辺部材に近い部位を底辺部材に向けて屈折させ屈折辺部材とし、該屈折辺部材を含む第三の傾斜部材と底辺部材とによって台形の輪郭としている。
更に、商品陳列用ハンガーのフック部を固定具に係止した時、商品陳列用ハンガーの鉛直線上において、ハンガーを縦列に複数個掛けて陳列できるよう、商品支持部材底辺部材が下方に向って折り曲げられたり、凹状に屈曲した部分を有する。
【０００７】
ハンガーを縦列に複数個掛けて陳列できるよう、この商品支持部材底辺部材の下方に向って突出して曲げられた部分には、他の商品陳列用ハンガーのフック部を係止可能な係止部を形成したり、この曲げられた部分に他に商品陳列用ハンガーのフック部が係止可能な連結部品を装着することも出来る。また、商品陳列用ハンガーのフック部をハンガー部と回転可能に結合してもよい。商品陳列用ハンガーを形成する素材としては、特に制限は無く、表面が樹脂加工された金属棒を加工する、合成樹脂で形成する、リボン状の平面素材で形成する、ハンガーの一部を平面部材で形成する、などの構成とすることもできる。
【発明の効果】
【０００８】
本発明の商品陳列用ハンガーＨは、購買者が商品を選択するために商品が良く見えるように展示すると共に、展示面積を出来るだけ少なくし、多数の商品を陳列するために、四角形状の商品を３６０度どこから見てもハンガーのフック部分のみしか見えないように陳列することができる。しかも多様な陳列方法が可能であり、展示品の装着が極めて容易であるにも係らず商品のずり落ちが無く、商品が汚損することもない。
【発明を実施するための最良の形態】
【０００９】
次に、本発明の商品陳列用ハンガーＨの構造およびその使用方法について説明する。
本発明の商品陳列用ハンガーＨは、金属棒（線）、または樹脂で表面加工された金属棒（線）を使用することが出来るが、後述のように、合成樹脂、リボン状素材、平面状素材で形成することも可能である。
本発明の商品陳列用ハンガーＨを、図面を参照して説明する。図１に本発明の商品陳列用ハンガーＨの第一の実施例を示す。棒状スチール好ましくは直径３ｍｍほどのスチール等で形成した商品陳列用ハンガーＨは、フック部１、ハンガー部２とよりなり、フック部１は、フック部１の下端でハンガー部２に連続している。フック部１とハンガー部２との結合は、フック部１の素材がそのまま連続してハンガー部２を構成する場合と、フック部１がハンガー部２上端に、従来法により例えば、フック部の軸部分をハンガー部の筒状部分に差し込み軸部分が脱落しないようにかしめるなど、回転可能に結合することにより構成することも出来る。
【００１０】
本発明のハンガーＨのハンガー部２は、基本的にフック部を通る鉛直線方向から略４５度の傾斜を有して下方に延び、商品支持部材底辺部材８に連続する第一の傾斜辺部材３と、商品支持部材４とよりなる。商品支持部材４は、該第一の傾斜辺部材３と平行にハンガー部上部から商品支持部材底辺部材８に向って延びる第二の傾斜辺部材５を有する。第一の傾斜辺部材３に対し商品挿入のための間隔Ｓを持って第二の傾斜辺部材５は、商品支持部材底辺部材８に連結される。商品支持部材４は、第二の傾斜辺５と、第二の傾斜辺５と連続し第二の傾斜辺５とのなす頂角が約９０度の直角に屈折している第三の傾斜辺６、第三の傾斜辺６の一部であって、商品支持部底辺８方向に屈曲された屈折辺部材７と、第一の傾斜辺部材３、第二の傾斜辺部材５、及び屈折辺部材７の下端を結ぶ商品支持部材底辺部材８とによって構成される。商品支持部材４の屈折辺部材７を、商品支持部材底辺部材８方向に屈曲されているのは、第三の傾斜辺６、屈折辺部材７、商品支持部材底辺部材８
よりなる構成部分が、フック部１を通る鉛直線９〈図１に図示〉からの最大離反距離Ｗ１が、第一の傾斜辺部材３と鉛直線9からの最大離反距離Ｗ２より小さくする他面である。これは、後述する方法で（図７、Ａ，Ｂ，Ｃ，Ｄに図示）四角形状商品を４つに折り畳んでハンガーＨに掛けた際に、本発明のハンガーＨのハンガー部２の全体が四角形状の商品で覆われることになるが、第三の傾斜辺６、屈折辺部材７、商品支持部材底辺部材８よりなる構成部分は、四角形状商品の四隅が重ねられた状態の間に挿入されることになる。そのため、ハンガー部２の該構成部分の一部が商品の間から覗くことを防ぐためであるが、本発明ハンガーＨの形状は、この形状に限定されるものではない。
【００１１】
商品支持部材底辺部材８は、他のハンガーＨのフック部１を商品支持部材底辺部材８に連続状態に係止し縦方向に複数掛け下げようとした場合、複数のハンガーＨが縦方向に揃って掛けられるよう、商品支持部材底辺部材８に屈折部１０を設けることが好ましい。即ち、屈折部１０は、図１に示すように、フック部１を固定具に掛けた際、ハンガーＨのフック部１から商品支持部材４を通過する鉛直線９近傍に設けることが好ましい。この屈折部１０の形状は、任意に変更可能であり、図２に示すように商品支持部材底辺部材８に弧状に屈曲部１１として形成し、更に、屈曲部１１にリング状、クリップ状、Ｓ字フック、Ｃ字フック等、従来より知られている任意の連結部品を用いて多数のハンガーＨを縦列に掛け並べることが出来る。また、図３Ａに示すように、屈折部１０において、底辺自体をリング状に形成することにより、リング状掛けとめ部１２として、リング状掛けとめ部１２の係止孔１３の中に他のハンガーＨのフック１を通したり、図３Ｃに示すように、屈折部１０に商品支持部材底辺部材突起１４を設け、その中にフック部１を挿入可能な係止孔１５を設けることも出来る。
【００１２】
一方、図４Ａのように、ハンガーＨを、四角形状商品を挟持する第一の傾斜辺部材３と、第二の傾斜辺部材５と第三の傾斜辺部材６と商品支持部材底辺部材８を有する形状の商品支持部材４で形成したり、更に、図４Ｂに示すように図４ＡのハンガーＨの商品支持部材４に連続する商品支持部材底辺部材８を短く形成し、その先端のハンガーＨの鉛直線9上に底辺部材８を屈曲して輪状とした屈曲部１１’を設けることも出来る。
また、他の実施態様として、ハンガーＨの構成材料を変えることも出来る。第一実施例のハンガーＨにおいては、合成樹脂で被覆した針金状素材について説明したが、素材として、ハンガーＨ全体を合成樹脂製とすることも可能である。素材形状としても、リボン状の平面素材を使用すれば、ハンガーＨを図５に示すような形状とし、リボン状であることにより、商品支持部材底辺部材８に設けられる他のハンガーＨとの係止部の形状を変化させることが出来る。即ち、図５Ａの例においては、商品支持部材底辺部材８に２個のフック係止用係止孔１７を穿ち、これらのフック係止用係止孔１７，１７に他のハンガーＨのフック部１を挿入して掛けとめし、ハンガーＨを連結して垂下できるようにしている。図５Ｂの例においては、商品支持部材底辺部材８のリボン状素材を商品支持部材８の屈折部１０で下方に突出するよう折り畳んで二重とし、該折り畳んだ部分にフック係止用係止孔１８を穿孔し、フック係止用係止孔１８に他のハンガーＨのフック１を掛けることが出来る。更に、図６に示すように、ハンガーＨの第一の傾斜辺部材３と、商品支持部材４の両方又は商品支持部材４を平板状部材１９で形成し、ハンガーＨの商品支持部材４上の鉛直線９に他のハンガーＨとの係止のためのフック係止用係止孔２０を設けることもできる。
【００１３】
次に、本発明の商品陳列用ハンガーＨの使用方法について説明する。商品陳列用ハンガーＨとしては、図１に示した第一の具体例のハンガーＨについて説明するが、商品のハンガーＨへの装着方法は、他の何れのハンガーＨにおいても同様の方法で装着することができる。また、商品についても四角形状の他、円形商品、長方形商品等、商品陳列用ハンガーＨの形状を変更することにより、多様な商品の陳列、展示が可能である。
【００１４】
次に、近年、需要の多い、タオルハンカチ２１を例として、  商品陳列用ハンガーＨの使用方法を図７において説明する。
Ａ〜Ｄのように順次四角形の商品を商品陳列用ハンガーＨに装着する。まず、Ａに示すように、タオルハンカチ２１を二つ折りにする。次いで、Ｂに示すようにハンガーフック部１を二つ折りしたタオルハンカチ２１の合わせ目中央部分にのせ、商品支持部材４の第三の傾斜辺部材６のみを折り畳んだタオルハンカチの合わせ目の間に挟みこむ。そのまま、Ｃに示す如くフック１を上方に引き上げ、商品陳列用ハンガーＨの第一の傾斜辺部材３が二つ折りしたタオルハンカチ２１の中心線２２にほぼ一致するように合わせる。そして、Ｄに示すように、ハンガーＨの傾斜辺材部材３が隠れるようにＣの左側部分のタオルハンカチを右側部分に折り重ねることによって、タオルハンカチ２１は、四つ折され、フック部１以外の傾斜辺６、屈折辺部材７、商品支持部材底辺部材８よりなる構成部分を含む
ハンガー部２は、外観上全く見えない状態となる。このようにすると、タオルハンカチ２１は、四つ折にされた部分のうち、内部に位置する半分が第一の傾斜辺部材３と第一の傾斜辺部材３に平行する第二の傾斜辺部材５との間に挟持され、陳列品のずれ落ちや、乱れが防止される。
【００１５】
このように装着したタオルハンカチは、多数のタオルハンカチを装着し、ハンガーＨのフック部１をポールにかけたり、他の実施例に示したように、フック部１を他のハンガーＨの商品支持材連結部に掛けて、縦列に多数の商品を陳列したりすることが可能である。
図８Ａは、縦列に陳列する際の商品陳列用ハンガーＨのみを係止した状態を示す。
図８Ｂに、タオルハンカチを本発明商品陳列用ハンガーＨに装着して縦列に陳列した状態を示す。これらの写真から明らかなように、本発明の商品陳列用ハンガーＨを使用して陳列、展示をすれば、商品面が購買者から良く見え、ハンガーＨ自体は、フック部以外は全く露出することが無いので極めて美的であり、多様な陳列方法が可能となった。
【産業上の利用可能性】
【００１６】
本発明の商品陳列用ハンガーＨは、四角形状の商品を３６０度どこから見てもフック部分のみしか見えず、多様な陳列方法が可能である。しかも、ハンガーＨ自体の構造が簡単で製作が容易であり、展示品の装着も極めて簡単であるにもかかわらず商品のずり落ちが無く、商品が汚損することもないので、商品の展示、陳列に適している。  
【図面の簡単な説明】
【００１７】
【図１】本発明の商品陳列用ハンガーＨの第一の実施態様を示す正面図。
【図２】図１のハンガーの底辺に設けた底辺屈曲部を示す正面図。
【図３】Ａは、図１のハンガーの底辺屈折部に設けた、リング状掛けとめ部を示す正面図、Ｂは、同側面図、Ｃは、図１のハンガーの底辺屈折部に開口を有する突起を設けたハンガーの正面図、Ｄは同側面図。
【図４】Ａは、他のハンガーとの連結機能を有しないハンガーの実施態様を示す正面図。Ｂは、他のハンガーとの連結機能を有するハンガーの実施態様を示す正面図。
【図５】Ａ，Ｂは、商品陳列用ハンガー全体が、リボン状の板状材で形成されているハンガーの実施態様を示す斜視図。
【図６】Ａ，Ｂは、ハンガーの商品支持部材が、平面状素材で形成されており、支持部材下部に他のハンガーのフックを挿入する係止孔が設けられているハンガーの正面図。
【図７】本発明の商品陳列用ハンガーに、四角形状の商品をＡ−Ｄの過程を経て装着する方法を示す説明図。
【図８】Ａは、本発明の商品陳列用ハンガーを連続して吊り下げた状態を示す説明写真、Ｂは、四角形状の商品を装着し、垂直方向に複数掛け並べた状態を示す説明写真。
【符号の説明】
【００１８】
１  フック部
２  ハンガー部
３  第一の傾斜辺部材
４  商品支持部材
５  第二の傾斜辺部材
６  第三の傾斜辺部材    
７  屈折辺部材
８  商品支持部材底辺部材
９  鉛直線
１０  屈折部
１１  屈曲部  
１１’  屈曲部
１２  リング状掛けとめ部
１３，１５，１７，１８，２０  係止孔
１４  突起
１６  リボン状平面素材
１９  平板状部材
２１  タオルハンカチ
２２  タオルハンカチの中心線
Ｈ  商品陳列用ハンガー
α  商品支持部材の頂角
Ｓ  間隔
Ｗ１  鉛直線９からの最大離反距離
Ｗ２  鉛直線９からの最大離反距離 
【図１】
2009022395.tif 000003
【図２】
2009022395.tif 000004
【図３】
2009022395.tif 000005
【図４】
2009022395.tif 000006
【図５】
2009022395.tif 000007
【図６】
2009022395.tif 000008
【図７】
2009022395.tif 000009
【図８】
2009022395.tif 000010